(57)【要約】【課題】防滑性と耐候性に富む身体支持具を提供する。【解決手段】任意の素材よりなる棒体表面に、多数の凹凸を有するゴムライニングを施して主体を形成し、該主体に、孔を有する板体よりなる取り付け板を設けたことを特徴とする。【選択図】図２
0003126396.tif 000002
【実用新案登録請求の範囲】
【請求項１】
任意の素材よりなる棒体表面に、多数の凹凸を有するゴムライニングを施して主体を形成し、該主体に、孔を有する板体よりなる取り付け板を設けたことを特徴とする防滑機能を有する身体支持具。
【請求項２】
複数個の同一形状の棒状主体を一定間隔にて平行配置するとともに、該主体の両側に側棒を固着し、該側棒に取り付け板を設けてなる請求項１記載の防滑機能を有する身体支持具。
【考案の詳細な説明】
【技術分野】
【０００１】  この考案は、人体移動時において身体位置の安定を図るための身体支持具に関する。
【背景技術】
【０００２】  従来より、身体支持用の物品としては手すりやタラップなどが多用されているが、材料としての木材や金属をそのまま露出させたものが大半であり、本案にて示すように、金属材料の表面をゴムライニングし、その表面に多数の凹凸を設けて防滑機能の増大を図ったものは見当たらない。
【考案の開示】
【考案が解決しようとする課題】
【０００３】  既述の手すりやタラップの屋外使用の場合、握ったり足をついたりして使用することとなるが、表面が濡れていたりするとその摩擦抵抗が低下して危険な場合がある。
鉄製の場合には錆び止め塗料やメッキを施すことも多いが、長期間の使用にてその処理が脱落して錆びてしまうという問題もあった。ステンレスを用いる方法もあるが高価となる。
本案は、以上のような従来からの身体支持具に関わる課題を解決するために考案されたもので、ゴムライニングを施すとともに、適所に多数の凹凸を設けることにより、使用時のスリップを防止し、かつ錆び止め効果も有する新規かつ有用なる身体支持具を提供することを目的として開発されたものである。
【課題を解決するための手段】
【０００４】  課題を解決する手段として本案は以下の構成とした。
すなわち、本案の一つは、任意の素材よりなる棒体表面に、多数の凹凸を有するゴムライニングを施して主体を形成し、該主体に、孔を有する板体よりなる取り付け板を設けたことを特徴とする防滑機能を有する身体支持具である。また、本案の他の一つは、前例と同様処理による複数個の同一形状の棒状主体を一定間隔にて平行配置するとともに、該主体の両側に側棒を固着し、該側棒に取り付け板を設けてなる防滑機能を有する身体支持具である。
【考案の効果】
【０００５】  本案によれば、棒体を多数個の凹凸を有するゴムライニングで覆って主体とし、この主体に乗るかあるいは握持して身体を支持するため、その摩擦にてスリップによる危険を回避できる有用なる物品を得ることができる。また、主体以外の部分もゴムライニングすることにより、全体の錆び止め効果を得て耐候性にも優れ、とりわけ取り付け板の取り付け孔内の錆を防止できて、長期間安全に使用することのできる身体支持具を提供することができる。
【考案を実施するための最良の形態】
【０００６】  以下、本案の実施形態について説明する。
図において、１は正面視コ字形の主体、２は小板状の取り付け板で、取り付け孔３が形成されており、この取り付け板は主体端部に各々固着される。図４は断面図であり、鉄製小板体４に鉄製棒体５が固着され、表面全体にゴムライニング６が施されている。
このゴムライニングにおいて、主体を覆う部分の表面には連続する多数個の凹凸が形成される。この凹凸は図８にて示すように、変形した略平行四辺形の中央部を略四角錐状に凸とし、隣り合う凸との間は凹部となるよう形成される。また水平方向に稜線が露出している。本案の製造については、まず鉄製棒体をコ字形に折曲し、その端部を有孔の小板体上面適所に固着する。次ぎにあらかじめ凹凸を設けたゴムシートをこの鉄製棒体表面に固着する。以上にて主体が形成される。また、凹凸のないゴムシートを小板体に固着し、孔内へも固着する。以上にて形成されたものを加流処理して本品が完成する。
使用に際しては、所望の場所に孔を介してボルト止めして用いる。本例は主に手で握持して用いるもので、ゴムライニングの凹凸にてその摩擦抵抗が増大し、スリップ等の危険を防止することができる。【０００７】  図５〜図７は本案の他例を示すもので、タラップ状に形成したものである。
図において、１０は主体、１１は主体両側に平行に固着される側棒、１２は平面視Ｌ形の取り付け板で、取り付け孔１３を有している。本例も前例同様にゴムライニングが施され、主体表面は前例同様に凹凸が形成される。この例は主体上に足が乗るため、足の滑りが防止される。また、側棒にもゴムライニングが施されるため、握持時の滑りも防止される。本例は主に壁面に取り付けて使用され、単独使用の他に、前例との併用も可能で、図１２に示すように、この併用にて身体降下初期には上方のコ字形部分を握持し、足元は主体１０上にあるため、手と足の双方の滑りを防止することができる。
図９〜図１１はゴムライニング凹凸の他例を示すものである。図９は棒体に平行なる線状凹部を等間隔に形成した例、図１１は複合螺旋状の凹部を形成したものであり、既述の例と同等の効果を発揮することができる。
以上、本案について説明したが、本案は凹凸のあるゴムライニングにて身体との接触部分の摩擦抵抗を高めたところにその特徴を有し、棒体を鉄製とすれば製作コスト面にも有利となるなど種々の利点を有する身体支持具を得ることができる。なお、既述の例は代表例であり、他の種々の形状にての製作も可能である。
以上のごとく、本案によって防滑性および耐候性で有利なる身体支持具を得ることができる。
【図面の簡単な説明】
【０００８】
【図１】  本考案の平面図（凹凸面簡略表現）
【図２】  本考案の正面図（凹凸面簡略表現）
【図３】  本考案の右側面図（凹凸面簡略表現）
【図４】  Ａ−Ａ拡大断面図（表面凹凸省略）
【図５】  本考案の他例の正面図
【図６】  本考案の他例の平面図
【図７】  本考案の他例の右側面図
【図８】  本考案の主体凹凸説明図
【図９】  本考案の凹凸他例説明図
【図１０】  本考案の凹凸他例説明図
【図１１】  本考案の凹凸他例説明図
【図１２】  本考案の使用例説明図
【符号の説明】
【０００９】１    主体
２    取り付け板
３    取り付け孔
４    鉄製小板体
５    鉄製棒体
６    ゴムライニング
７    略平行四辺形
１０  主体
１１  側棒
１２  取り付け板
１３  取り付け孔
２０  線状凹部
２１  複合螺旋凹部
【図１】
0003126396.tif 000003
【図２】
0003126396.tif 000004
【図３】
0003126396.tif 000005
【図４】
0003126396.tif 000006
【図５】
0003126396.tif 000007
【図６】
0003126396.tif 000008
【図７】
0003126396.tif 000009
【図８】
0003126396.tif 000010
【図９】
0003126396.tif 000011
【図１０】
0003126396.tif 000012
【図１１】
0003126396.tif 000013
【図１２】
0003126396.tif 000014